(57)【特許請求の範囲】
【請求項１】
第１面と前記第１面と対向する第２面とを有し、前記第１面と前記第２面との間に、給気流を通す給気通風路および排気流を通す排気通風路を備えた外装箱と、
四角柱状の熱交換素子および前記熱交換素子の軸方向に沿って延びる辺ごとに取り付けられる複数の熱交換器枠を備え、前記給気通風路と前記排気通風路との途中に設置されて前記給気流と前記排気流との間で熱交換を行う熱交換器と、
前記外装箱の内部に設置され、前記熱交換器枠に係合して、前記外装箱への前記熱交換器の着脱を案内する複数のガイドレールと、
前記外装箱内の前記給気通風路に配置されて前記給気流に含まれる不純物を除去するエアフィルターと、
前記外装箱内における前記給気通風路に設けられて前記エアフィルターを保持するエアフィルター保持部と、
を有する熱交換型換気装置であって、
前記エアフィルター保持部は、前記ガイドレールと対向する位置に配置され、
前記ガイドレールは、移動方向である、前記第１面から前記第２面に向かう方向または前記第２面から前記第１面に向かう方向に移動可能であり、前記移動方向における前記熱交換器を支持する位置において前記エアフィルターを前記エアフィルター保持部との間に保持すること、
を特徴とする熱交換型換気装置。
【請求項２】
前記ガイドレールは、前記エアフィルターを前記第１面側に押圧していること、
を特徴とする請求項１に記載の熱交換型換気装置。
【請求項３】
前記ガイドレールは、前記移動方向における前記熱交換器を支持しない位置において前記エアフィルターから離間していること、
を特徴とする請求項２に記載の熱交換型換気装置。
【請求項４】
前記エアフィルターは、前記エアフィルターと当接する面にシール部材を備えること、
を特徴とする請求項１から３のいずれか１つに記載の熱交換型換気装置。
【発明の詳細な説明】
【技術分野】
【０００１】
本発明は、室外空気と室内空気との間で熱を交換しながら換気を行う熱交換型換気装置に関する。
【背景技術】
【０００２】
従来、建物内の換気を行う換気装置として、給気流と排気流との間で熱交換を行う熱交換器を備えた熱交換型換気装置が知られている。例えば、特許文献１には、熱交換エレメントの外郭隅部を構成する樹脂製のフレーム体に形成されたチャネル状のフィルタホルダが、エアフィルターを着脱可能に担持する熱交換型換気装置が開示されている。
【先行技術文献】
【特許文献】
【０００３】
【特許文献１】特開平１０−３００１５８号公報
【発明の概要】
【発明が解決しようとする課題】
【０００４】
しかしながら、上記特許文献１の熱交換型換気装置では、エアフィルターはチャネル状のフィルタホルダに嵌め込まれて配置される。この場合には、エアフィルターとフィルタホルダとの寸法の製品個体差を吸収するために、エアフィルターとフィルタホルダとの間にクリアランスが設けられることが必要となる。このため、エアフィルターとフィルタホルダとの間に生じる隙間からの空気の漏えいが生じ、室内への塵埃および虫などの不純物の侵入が発生する、という問題があった。【０００５】
本発明は、上記に鑑みてなされたものであって、エアフィルターの保持構造に起因した室内への不純物の侵入を抑制可能な熱交換型換気装置を得ることを目的とする。
【課題を解決するための手段】
【０００６】
上述した課題を解決し、目的を達成するために、本発明にかかる熱交換型換気装置は、第１面と第１面と対向する第２面とを有し、第１面と第２面との間に、給気流を通す給気通風路および排気流を通す排気通風路を備えた外装箱と、四角柱状の熱交換素子および熱交換素子の軸方向に沿って延びる辺ごとに取り付けられる複数の熱交換器枠を備え、給気通風路と排気通風路との途中に設置されて給気流と排気流との間で熱交換を行う熱交換器と、を有する。また、熱交換型換気装置は、外装箱の内部に設置され、熱交換器枠に係合して、外装箱への熱交換器の着脱を案内する複数のガイドレールと、外装箱内の給気通風路に配置されて給気流に含まれる不純物を除去するエアフィルターと、外装箱内における給気通風路に設けられてエアフィルターを保持するエアフィルター保持部と、を有する。エアフィルター保持部は、ガイドレールと対向する位置に配置される。ガイドレールは、移動方向である、第１面から第２面に向かう方向または前記第２面から前記第１面に向かう方向に移動可能であり、移動方向における熱交換器を支持する位置においてエアフィルターをエアフィルター保持部との間に保持する。
【発明の効果】
【０００７】
本発明にかかる熱交換型換気装置は、エアフィルターの保持構造に起因した室内への不純物の侵入を抑制可能である、という効果を奏する。
【図面の簡単な説明】
【０００８】
【図１】本発明の実施の形態１にかかる熱交換型換気装置から天面を取り外した状態を上方から見た斜視図
【図２】本発明の実施の形態１にかかる熱交換型換気装置から底板を取り外した状態を下方から見た斜視図
【図３】本発明の実施の形態１にかかる熱交換型換気装置の構成を示す斜視図
【図４】本発明の実施の形態１にかかる熱交換型換気装置が備える熱交換器の斜視図
【図５】本発明の実施の形態１にかかる熱交換型換気装置の組み立て時に熱交換器およびエアフィルターが外装箱に挿入された状態を示す模式図
【図６】本発明の実施の形態１にかかる熱交換型換気装置の組み立て時に熱交換器およびエアフィルターが固定された状態を示す模式図
【図７】本発明の実施の形態１にかかる熱交換型換気装置のメンテナンス時に熱交換器およびエアフィルターの固定が解除された状態を示す模式図
【発明を実施するための形態】
【０００９】
以下に、本発明の実施の形態にかかる熱交換型換気装置を図面に基づいて詳細に説明する。なお、この実施の形態によりこの発明が限定されるものではない。また、以下の図面では各構成部材の大きさの関係が実際のものとは異なる場合がある。
【００１０】
熱交換型換気装置は、空調対象空間の空気を取り込んで空調対象空間外に排出するとともに、空調対象空間外の空気を取り込んで空調対象空間に供給する。空調対象空間の例には、家屋、ビルディングおよび倉庫を挙げることができる。以下の説明においては、空調対象空間が建築物の室内とする。また、「室外空気」は、熱交換型換気装置から室内に供給される給気を指し、「室内空気」は、熱交換型換気装置によって室外へ排出される排気を指す。
【００１１】
実施の形態１．
図１は、本発明の実施の形態１にかかる熱交換型換気装置１００から天面５１を取り外した状態を上方から見た斜視図である。図２は、本発明の実施の形態１にかかる熱交換型換気装置１００から底面５２を取り外した状態を下方から見た斜視図である。図３は、本発明の実施の形態１にかかる熱交換型換気装置１００の構成を示す斜視図である。なお、図３では、熱交換型換気装置１００の天面５１、前面５３および内気側側面５５の一部を透過させて図示している。また、図３中のハッチングがドットの矢印は給気流の流れを示し、ハッチングが斜線の矢印は排気流の流れを示している。図４は、本発明の実施の形態１にかかる熱交換型換気装置１００が備える熱交換器８の斜視図である。図４は、熱交換器８を図３と同じ方向から見た状態を示している。図５は、本発明の実施の形態１にかかる熱交換型換気装置１００の組み立て時に熱交換器８およびエアフィルター１２が外装箱５に挿入された状態を示す模式図である。図６は、本発明の実施の形態１にかかる熱交換型換気装置１００の組み立て時に熱交換器８およびエアフィルター１２が固定された状態を示す模式図である。また、図６には、給空気の流れを細実線の矢印で示し、細破線の矢印は排気流の流れを示している。図７は、本発明の実施の形態１にかかる熱交換型換気装置１００のメンテナンス時に熱交換器８およびエアフィルター１２の固定が解除された状態を示す模式図である。
【００１２】
熱交換型換気装置１００は、天井裏の空間に取り付けられ、ダクトを通じて給排気する天井埋め込み型の熱交換型換気装置である。熱交換型換気装置１００は、天面５１、底面５２、前面５３、後面５４、内気側側面５５および外気側側面５６を有する直方体形状であって、外郭を構成する外装箱５を備える。外装箱５は、室外から空気を取り込む外気口１、室外へ空気を排気する排気口２、室内から空気を取り込む還気口３および室内へ空気を給気する給気口４を有する。外気口１および排気口２は、外気側側面５６に設けられている。また、還気口３および給気口４は、内気側側面５５に設けられている。
【００１３】
外装箱５の内部には、給気通風路５Ａと排気通風路５Ｂとが形成されている。給気通風路５Ａは、外気口１から取り込んだ室外空気を給気口４から室内へ給気するための風路である。排気通風路５Ｂは、還気口３から取り込んだ室内空気を排気口２から室外へ排気するための風路である。したがって、外装箱５は、第１面である天面５１と天面５１と対向する第２面である底面５２とを有し、第１面と第２面との間に、給気流を通す給気通風路５Ａおよび排気流を通す排気通風路５Ｂを備える。また、内気側側面５５は、外装箱５において給気通風路５Ａの下流側に配置された側面といえる。外気側側面５６は、外装箱５において排気通風路５Ｂの下流側に配置された側面といえる。
【００１４】
給気通風路５Ａには、給気送風機６が設けられている。給気送風機６を運転することにより室外から室内へ向かって空気流である給気流が進行し、給気通風路５Ａを通過する。給気送風機６は、電動機６１と、電動機６１の運転によって回転する羽根部材６２とが、給気用ファンケーシング６３で囲まれて構成されている。
【００１５】
排気通風路５Ｂには、排気送風機７が設けられている。排気送風機７を運転することにより室内から室外へ向かって空気流である排気流が進行し、排気通風路５Ｂを通過する。排気送風機７は、電動機７１と、電動機７１の運転によって回転する羽根部材７２とが、排気用ファンケーシング７３で囲まれて構成されている。
【００１６】
熱交換器８は、給気通風路５Ａおよび排気通風路５Ｂの途中であって、外装箱５の中央に配置されている。熱交換器８は、四角柱状の全熱交換素子８０と、全熱交換素子８０の軸方向Ｘに沿って延びる辺２１ａごとに取り付けられる４つの熱交換器枠２２と、を備える。熱交換器８は、全熱交換素子８０の四角柱の対角線を上下方向および水平方向にした横倒しの状態で、積層方向が内気側側面５５および外気側側面５６と平行となった状態で、前面５３と後面５４とに跨がるように設置される。本実施の形態１において、上下方向は、天面５１から底面５２に向かう方向と平行な方向であり、図５から図７におけるＹ方向に対応する。また、左右方向は、内気側側面５５から外気側側面５６に向かう方向と平行な方向である。
【００１７】
全熱交換素子８０は、特殊加工紙により形成されており、軸方向Ｘに垂直な平面で切断した切断面が正方形となる角柱形状を呈する。なお、全熱交換素子８０は、軸方向Ｘに垂直な平面で切断した切断面が長方形となるものであってもよいし、軸方向Ｘに垂直な平面で切断した切断面が多角形となるものであってもよい。すなわち、全熱交換素子８０は、多角柱状に形成されてもよい。
【００１８】
全熱交換素子８０は、平板８１に接着された波板８２による積層構造をなす給気通風路８３と、平板８１に接着された波板８４による積層構造をなす排気通風路８５とが、給気通風路５Ａの方向と排気通風路５Ｂの方向とが直交するように複数積層された直方体形状の積層構造体である。全熱交換素子８０の軸方向Ｘに沿って延びる辺２１ａは、全熱交換素子８０における積層方向の４つの稜線部である。
【００１９】
給気通風路５Ａは、外気口１から熱交換器８の給気通風路８３および給気送風機６を経由して、給気口４に至る。排気通風路５Ｂは、還気口３から熱交換器８の排気通風路８５および排気送風機７を経由して、排気口２に至る。給気通風路５Ａおよび排気通風路５Ｂは、熱交換型換気装置１００内において、給気と排気との混合が無いように互いに独立して構成されている。
【００２０】
外装箱５の前面５３の熱交換器８の端面に対向する位置には、メンテナンスカバー９が設けられている。メンテナンスカバー９を開くことで、熱交換器８を外装箱５から出し入れ可能となる。
【００２１】
外装箱５の前面５３の中央よりも内気側側面５５寄りの位置には、電源への接続用の端子台を収容した電源ボックス１０が設けられている。
【００２２】
また、外装箱５の内部には、熱交換器８の熱交換器枠２２に係合して、外装箱５への熱交換器８の着脱を案内するとともに熱交換器８を支持する複数のガイドレール１１が設けられている。ガイドレール１１は、外装箱５の天面５１と底面５２と前面５３と後面５４とに取り付けられている。熱交換器８は、ガイドレール１１に沿って、天面５１と平行な方向に出し入れ可能に組み込まれている。ガイドレール１１の詳細については、後述する。
【００２３】
つぎに、外装箱５内における熱交換器８およびエアフィルター１２の支持構造について説明する。以下の説明においては、全熱交換素子８０の天面５１側の辺２１ａに取り付けられる熱交換器枠２２を第１熱交換器枠２２１、全熱交換素子８０の底面５２側の辺２１ａに取り付けられる熱交換器枠２２を第２熱交換器枠２２２、全熱交換素子８０の外気側側面５６の辺２１ａに取り付けられる熱交換器枠２２を第３熱交換器枠２２３、および全熱交換素子８０の内気側側面５５側の辺２１ａに取り付けられる熱交換器枠２２を第４熱交換器枠２２４とする。全熱交換素子８０の天面５１側は、図５から図７における上側である。全熱交換素子８０の底面５２側は、図５から図７における下側である。全熱交換素子８０の外気側側面５６側は、図５から図７における左側である。全熱交換素子８０の内気側側面５５側は、図５から図７における右側である。
【００２４】
熱交換器８は、外装箱５内に設けられた複数のガイドレール１１によって支持される。複数のガイドレール１１は、熱交換器８を向く側が開放されて全熱交換素子８０の熱交換器枠２２が嵌め込まれる溝部を有するＵ形状を有するガイドレールであり、図５に示すように熱交換器８を囲んで配置されている。複数のガイドレール１１は、外装箱５に固定される第１固定ガイドレール１１１および第２固定ガイドレール１１２と、熱交換器８の軸方向Ｘと垂直な方向であって第１面である天面５１から第２面である底面５２に向かう方向と平行な移動方向において移動可能に外装箱５に支持される第１可動ガイドレール１１３および第２可動ガイドレール１１４とを有する。第１固定ガイドレール１１１および第２固定ガイドレール１１２は、上下方向において熱交換器８を挟んで設けられている。第１可動ガイドレール１１３および第２可動ガイドレール１１４は、左右方向において熱交換器８を挟んで設けられている。
【００２５】
第１固定ガイドレール１１１は、全熱交換素子８０の第１熱交換器枠２２１が嵌め込まれるガイドレール１１であり、熱交換器８の軸方向Ｘに延びるレールである。第１固定ガイドレール１１１は、メンテナンス時に取り外しを行わないネジによって外装箱５の左右方向の中央部において天面５１に固定されている。第１固定ガイドレール１１１は、第１熱交換器枠２２１の幅よりも大きい溝幅を有する。第１固定ガイドレール１１１は、外気側側面５６側に位置して内気側側面５５および外気側側面５６と平行に延びる内側面に、弾力性のあるシール部材１８が貼り付けられている。
【００２６】
第２固定ガイドレール１１２は、全熱交換素子８０の第２熱交換器枠２２２が嵌め込まれるガイドレール１１であり、熱交換器８の軸方向Ｘに延びるレールである。第２固定ガイドレール１１２は、メンテナンス時に取り外しを行わないネジによって外装箱５の左右方向の中央部において底面５２に固定されている。第２固定ガイドレール１１２は、第２熱交換器枠２２２の幅よりも大きい溝幅を有する。第２固定ガイドレール１１２は、内気側側面５５側に位置して内気側側面５５および外気側側面５６と平行に延びる内側面に、弾力性のあるシール部材１８が貼り付けられている。
【００２７】
第１可動ガイドレール１１３および第２可動ガイドレール１１４は、熱交換器８の軸方向Ｘに延びるレールであり、移動可能に前面５３および後面５４によって支持されている。前面５３および後面５４における、第１可動ガイドレール１１３および第２可動ガイドレール１１４の支持部は、例えば上下方向に延びる長穴に対してネジを固定する構造、または上下方向において複数設けられた取り付け穴への差し込み構造等の構造とされている。これにより、第１可動ガイドレール１１３および第２可動ガイドレール１１４は、前面５３および後面５４に垂直な状態で上下方向に移動可能に支持されている。第１可動ガイドレール１１３および第２可動ガイドレール１１４は、図５に示すように、左右方向において熱交換器８を挟んで両側に１つずつ設けられる。第１可動ガイドレール１１３および第２可動ガイドレール１１４は、熱交換器８に図６に円形矢印で示す一方向側への回転力Ｆを付与する回転力付与部としても機能する。なお、第１可動ガイドレール１１３および第２可動ガイドレール１１４は、移動方向に移動可能に給気用ファンケーシング６３と排気用ファンケーシング７３とによって支持されてもよい。
【００２８】
第１可動ガイドレール１１３は、熱交換器８における外気側側面５６側に配置される。すなわち、第１可動ガイドレール１１３は、排気通風路５Ｂの下流側に配置された辺２１ａに取り付けられた熱交換器枠２２である、全熱交換素子８０の第３熱交換器枠２２３が嵌め込まれるガイドレール１１であり、第３熱交換器枠２２３の幅よりも大きい溝幅を有する。第１可動ガイドレール１１３は、天面５１側に位置して天面５１および底面５２と平行に延びる内側面に、弾力性のあるシール部材１８が貼り付けられている。
【００２９】
第２可動ガイドレール１１４は、熱交換器８における内気側側面５５側に配置される。すなわち、第２可動ガイドレール１１４は、外装箱５内において、給気通風路５Ａの下流側に配置された辺２１ａに取り付けられた熱交換器枠２２である、全熱交換素子８０の第４熱交換器枠２２４が嵌め込まれるガイドレール１１であり、第４熱交換器枠２２４の幅よりも大きい溝幅を有する。第２可動ガイドレール１１４は、底面５２側に位置して天面５１および底面５２と平行に延びる内側面に、弾力性のあるシール部材１８が貼り付けられている。
【００３０】
また、第２可動ガイドレール１１４の上方の天面５１には、エアフィルター１２を保持するためのエアフィルター保持部であるエアフィルター保持ガイドレール１３が固定されている。エアフィルター保持ガイドレール１３は、熱交換器８の軸方向Ｘに延びるレールである。エアフィルター保持ガイドレール１３は、底面５２側が開放されてエアフィルター１２の上端部が嵌め込まれる溝部を有するＵ形状を有するガイドレールである。エアフィルター保持ガイドレール１３は、給気通風路５Ａにおいてエアフィルター１２によって区画されるエアフィルター１２よりも上流側の空間からエアフィルター１２よりも下流側の空間へのエアフィルター１２以外からの空気の流れを抑制するために、弾力性のある天面５１と平行なシール部材１８が溝部の内側面に貼り付けられている。なお、図１から図３においては、エアフィルター１２は図示していない。
【００３１】
このように構成された熱交換型換気装置１００において、エアフィルター１２の外装箱５への取り付け時には、まず、図５に示すように、第１可動ガイドレール１１３を上方側すなわち天面５１側に移動させるとともに、第２可動ガイドレール１１４を下方側すなわち底面５２側に移動させて配置する。
【００３２】
これにより、図５に示すように、第１可動ガイドレール１１３に貼り付けられたシール部材１８および第１可動ガイドレール１１３と全熱交換素子８０の第３熱交換器枠２２３との間、および第２可動ガイドレール１１４に貼り付けられたシール部材１８および第２可動ガイドレール１１４と全熱交換素子８０の第４熱交換器枠２２４との間を離した状態で、前面５３に形成されたメンテナンス開口１７から熱交換器８を外装箱５内へと容易にスライドさせて挿入することができる。この場合、第１可動ガイドレール１１３に貼り付けられたシール部材１８および第１可動ガイドレール１１３と全熱交換素子８０の第３熱交換器枠２２３との間にクリアランスが設けられており、第２可動ガイドレール１１４に貼り付けられたシール部材１８および第２可動ガイドレール１１４と全熱交換素子８０の第４熱交換器枠２２４との間にクリアランスが設けられているため、メンテナンス開口１７から外装箱５内への熱交換器８の挿入が容易になる。
【００３３】
すなわち、第１可動ガイドレール１１３は、第１可動ガイドレール１１３に貼り付けられたシール部材１８の厚みと第３熱交換器枠２２３の幅との合計よりも大きい溝幅を有する。第２可動ガイドレール１１４は、第２可動ガイドレール１１４に貼り付けられたシール部材１８の厚みと第４熱交換器枠２２４の幅との合計よりも大きい溝幅を有する。
【００３４】
また、この状態で、第２可動ガイドレール１１４とエアフィルター保持ガイドレール１３に貼り付けられたシール部材１８との間に、エアフィルター１２の縦方向の幅寸法よりも大きい寸法のクリアランスが設けられる。これにより、前面５３に形成されたメンテナンス開口１７からエアフィルター１２を外装箱５内へと容易にスライドさせて挿入することができる。エアフィルター１２の縦方向の幅寸法は、エアフィルター１２における上下方向の寸法であり、高さ寸法である。
【００３５】
この場合、エアフィルター保持ガイドレール１３に貼り付けられたシール部材１８と第２可動ガイドレール１１４との間にエアフィルター１２の縦方向の幅寸法よりも大きい寸法のクリアランスを設けられているため、メンテナンス開口１７から外装箱５内への熱交換器８の挿入が容易になる。また、エアフィルター保持ガイドレール１３にシール部材１８が貼り付けられていない場合には、第２可動ガイドレール１１４とエアフィルター保持ガイドレール１３の内底面との間に、エアフィルター１２の縦方向の幅寸法よりも大きい寸法のクリアランスが設けられることになる。
【００３６】
その後、図６に示すように、第１可動ガイドレール１１３を下方側すなわち底面５２側に移動させた位置に固定し、第１可動ガイドレール１１３に貼り付けられたシール部材１８を第３熱交換器枠２２３の天面５１側の側面に押し当てる。この結果、第１可動ガイドレール１１３がシール部材１８を介して第３熱交換器枠２２３を下方に押圧する。さらに、第２可動ガイドレール１１４を上方側すなわち天面５１側に移動させた位置に固定し、第２可動ガイドレール１１４に貼り付けられたシール部材１８を第４熱交換器枠２２４の底面５２側の側面に押し当てる。この結果、第２可動ガイドレール１１４がシール部材１８を介して第４熱交換器枠２２４を上方に押圧する。
【００３７】
これにより、熱交換器８には、図６に円形矢印で示す一方向側への回転力Ｆが付与され、第１固定ガイドレール１１１に貼り付けられたシール部材１８に第１熱交換器枠２２１の外気側側面５６側の側面が押し当てられ、第２固定ガイドレール１１２に貼り付けられたシール部材１８に第２熱交換器枠２２２の内気側側面５５側の側面が押し当てられる。第１固定ガイドレール１１１が天面５１に固定されており、第２固定ガイドレール１１２が底面５２に固定されている。この結果、熱交換器８の四隅の角部の熱交換器枠２２の全てが複数のガイドレール１１に押し当てられ、熱交換器８が外装箱５内で複数のガイドレール１１によって支持され、固定される。
【００３８】
また、第２可動ガイドレール１１４がエアフィルター１２の下面、すなわち底面５２側の端面に押し当てられることにより、エアフィルター１２は、天面５１側に押圧された状態で、第２可動ガイドレール１１４とエアフィルター保持ガイドレール１３との間にエアフィルター１２が保持される。ここで、回転力Ｆによって第２可動ガイドレール１１４がエアフィルター１２に押し当てられることにより、エアフィルター１２の縦方向の幅寸法に個体差があった場合、および第２可動ガイドレール１１４の縦方向の幅寸法に個体差があった場合でも、第２可動ガイドレール１１４とエアフィルター保持ガイドレール１３との間の隙間の発生を抑制してエアフィルター１２を保持することができる。これにより、第２可動ガイドレール１１４とエアフィルター保持ガイドレール１３との間から空気が漏えいして室内へ塵埃および虫が侵入することを抑制できる。このように、エアフィルター１２を天面５１側に押圧した状態で固定することにより、エアフィルター１２の保持構造における隙間を減らすことが可能であり、給気通風路５Ａにおいてエアフィルター１２によって区画されるエアフィルター１２よりも上流側の空間からエアフィルター１２よりも下流側の空間へのエアフィルター１２以外での空気の流れを抑制することができる。
【００３９】
また、エアフィルター１２は、メンテナンスカバー９を閉じることにより、メンテナンスカバー９と後面５４とに挟まれた状態で固定される。これにより、エアフィルター１２の保持構造における隙間を減らすことが可能であり、給気通風路５Ａにおいてエアフィルター１２によって区画されるエアフィルター１２よりも上流側の空間からエアフィルター１２よりも下流側の空間へのエアフィルター１２以外での空気の流れを、より抑制することができる。そして、エアフィルター１２は、メンテナンスカバー９と後面５４とに密着した状態で固定されることが好ましい。
【００４０】
また、エアフィルター保持ガイドレール１３とエアフィルター１２との間にシール部材１８を設けることにより、シール部材１８がエアフィルター１２に押し当てられ、シール部材１８が圧縮される。これにより、第２可動ガイドレール１１４とエアフィルター保持ガイドレール１３との間の隙間の発生をより抑制することができる。
【００４１】
また、熱交換器８は、外装箱５内において、図６に円形矢印で示す熱交換器８の軸を中心とした一方向側への回転、および熱交換器８の軸を中心とした円形矢印と逆方向である他方向側への回転が可能とされている。このため、熱交換器８を、外装箱５への取り付け後の適正な姿勢から熱交換器８の軸を中心とした他方向側へわずかに回転させた状態で外装箱５内へスライドさせて挿入することができる。
【００４２】
この場合には、第１固定ガイドレール１１１に貼り付けられたシール部材１８および第１固定ガイドレール１１１と第１熱交換器枠２２１との間を離し、第２固定ガイドレール１１２に貼り付けられたシール部材１８および第２固定ガイドレール１１２と第２熱交換器枠２２２との間を離し、第１可動ガイドレール１１３に貼り付けられたシール部材１８および第１可動ガイドレール１１３と第３熱交換器枠２２３との間を離し、第２可動ガイドレール１１４に貼り付けられたシール部材１８および第２可動ガイドレール１１４と第４熱交換器枠２２４との間を離した状態で、熱交換器８を外装箱５内へスライドさせて挿入することができる。これにより、メンテナンス開口１７から外装箱５内への熱交換器８の挿入がより容易になる。
【００４３】
一方、メンテナンス時には、上述した熱交換器８およびエアフィルター１２の外装箱５への取り付け時と反対の作業を行えばよい。すなわち、第１可動ガイドレール１１３を上方側すなわち天面５１側に移動させた位置に固定し、第１可動ガイドレール１１３に貼り付けられたシール部材１８を第３熱交換器枠２２３の側面から離す。この結果、第１可動ガイドレール１１３による回転力Ｆが解除され、第１可動ガイドレール１１３がシール部材１８を介して第３熱交換器枠２２３を下方に押圧する状態が解除される。
【００４４】
さらに、第２可動ガイドレール１１４を下方側すなわち底面５２側に移動させた位置に固定し、第２可動ガイドレール１１４に貼り付けられたシール部材１８を第４熱交換器枠２２４の側面から離す。この結果、第２可動ガイドレール１１４による回転力Ｆが解除され、第２可動ガイドレール１１４がシール部材１８を介して第４熱交換器枠２２４を上方に押圧する状態が解除される。この結果、熱交換器８を容易にスライドさせて外装箱５から抜き取ることが可能となり、熱交換器８および外装箱５の内部のメンテナンスを行うことができる。
【００４５】
また、第２可動ガイドレール１１４を下方側すなわち底面５２側に移動させた位置に固定することで、エアフィルター１２の下面が第２可動ガイドレール１１４から離れ、またはエアフィルター保持ガイドレール１３に貼り付けられたシール部材１８からエアフィルター１２の上面が離れる。この結果、エアフィルター保持ガイドレール１３に貼り付けられたシール部材１８と第２可動ガイドレール１１４との間にエアフィルター１２の縦方向の幅寸法よりも大きい寸法のクリアランスが設けられる。また、エアフィルター保持ガイドレール１３にシール部材１８が貼り付けられていない場合には、エアフィルター保持ガイドレール１３の内底面と第２可動ガイドレール１１４との間に、エアフィルター１２の縦方向の幅寸法よりも大きい寸法のクリアランスが設けられることになる。
【００４６】
これにより、エアフィルター１２がエアフィルター保持ガイドレール１３と第２可動ガイドレール１１４とに挟持された状態が解除される。この結果、エアフィルター１２を容易にスライドさせて外装箱５から抜き取ることが可能となり、エアフィルター１２および外装箱５の内部のメンテナンスを行うことができる。また、エアフィルター保持ガイドレール１３に貼り付けられたシール部材１８をエアフィルター１２との干渉によって劣化させることなく、干渉によるシール部材１８の破れおよび剥がれを防止して、エアフィルター１２を着脱することが可能である。また、エアフィルター１２の着脱時におけるエアフィルター１２の押し込み荷重および引き出し荷重を小さくすることができる。
【００４７】
したがって、第２可動ガイドレール１１４は、移動方向において予め定められた上方側の第１の位置において、熱交換器８が適正な取り付け位置において熱交換器８を支持および固定するとともにエアフィルター１２をエアフィルター保持ガイドレール１３との間に保持する。また、第２可動ガイドレール１１４は、移動方向において予め定められた下方側の第２の位置において、熱交換器８およびエアフィルター１２から離間している。
【００４８】
また、第１可動ガイドレール１１３は、移動方向において予め定められた下方側の第３の位置において、熱交換器８の適正な取り付け位置において熱交換器８を支持および固定する。また、第１可動ガイドレール１１３は、熱交換器８が支持および固定されない、移動方向において予め定められた第４の位置において、熱交換器８から離間している。
【００４９】
上述したように、本実施の形態１にかかる熱交換型換気装置１００は、エアフィルター１２の保持構造における隙間を減らすことが可能であり、給気通風路５Ａにおいてエアフィルター１２によって区画されるエアフィルター１２よりも上流側の空間からエアフィルター１２よりも下流側の空間へのエアフィルター１２以外での空気の流れを抑制することができる。これにより、第２可動ガイドレール１１４とエアフィルター保持ガイドレール１３との間から空気が漏えいして室内へ塵埃および虫などの不純物が侵入することを抑制でき、エアフィルター１２の保持構造に起因して不純物が室内へ侵入することを抑制できる。これにより、熱交換型換気装置１００は、室内へ導入する空気の清浄度を高めることができる。
【００５０】
また、熱交換型換気装置１００は、熱交換器８を固定することによりエアフィルター１２が同時に固定され、熱交換器８の固定を解除することによりエアフィルター１２の固定が同時に解除されるため、エアフィルター１２の着脱が容易である。
【００５１】
また、熱交換型換気装置１００は、エアフィルター保持ガイドレール１３、シール部材１８、および熱交換器８を固定するガイドレール１１といった簡単な構成によりエアフィルター１２を固定可能であり、耐久性にも問題が生じない。
【００５２】
すなわち、熱交換型換気装置１００は、簡単な構成で、エアフィルター１２の着脱を伴う場合のメンテナンス性と、塵埃および虫などの不純物の室内への侵入の抑制とを実現できる。
【００５３】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５４】
１  外気口、２  排気口、３  還気口、４  給気口、５  外装箱、５Ａ，８３  給気通風路、５Ｂ，８５  排気通風路、６  給気送風機、７  排気送風機、８  熱交換器、９  メンテナンスカバー、１０  電源ボックス、１１  ガイドレール、１２  エアフィルター、１３  エアフィルター保持ガイドレール、１７  メンテナンス開口、１８  シール部材、２１ａ  辺、２２  熱交換器枠、５１  天面、５２  底面、５３  前面、５４  後面、５５  内気側側面、５６  外気側側面、６１，７１  電動機、６２，７２  羽根部材、６３  給気用ファンケーシング、７３  排気用ファンケーシング、８０  全熱交換素子、８１  平板、８２，８４  波板、１００  熱交換型換気装置、１１１  第１固定ガイドレール、１１２  第２固定ガイドレール、１１３  第１可動ガイドレール、１１４  第２可動ガイドレール、２２１  第１熱交換器枠、２２２  第２熱交換器枠、２２３  第３熱交換器枠、２２４  第４熱交換器枠、Ｆ  回転力、Ｘ  軸方向。
【図１】
0006983315.tif 000002
【図２】
0006983315.tif 000003
【図３】
0006983315.tif 000004
【図４】
0006983315.tif 000005
【図５】
0006983315.tif 000006
【図６】
0006983315.tif 000007
【図７】
0006983315.tif 000008